(57)【要約】      （修正有）【課題】  変形による影響が少なく耐久性に優れ、絵を描く場合の利便性に優れた色鉛筆ケースを提供する。【解決手段】  複数本の色鉛筆の収納部が形成されたケース本体部１３と、上記ケース本体部に対し開閉可能で、閉蓋状態において上記ケース本体部に係止しうるように形成された蓋部１４とを有し、上記ケース本体部と上記蓋部はプラスチックにより成形されている。上記ケース本体部と上記蓋部はヒンジ部１５を介して連結され、上記蓋部と上記ケース本体部の係止部は弾性変形により係合し且つ係止状態を解除しうるように形成されている。上記蓋部には絵描き用のテンプレート１７が着脱可能に係止され、上記テンプレートはヒンジ部を介し展開及び折畳可能に連結された２枚の板状部材１９，２０により成形されている。  【選択図】  図１
0003118242.tif 000002
【実用新案登録請求の範囲】
【請求項１】
複数本の色鉛筆の収納部が形成されたケース本体部と、上記ケース本体部に対し開閉可能で、閉蓋状態において上記ケース本体部に係止しうるように形成された蓋部とを有し、上記ケース本体部と上記蓋部はプラスチックにより成形されていることを特徴とする色鉛筆ケース。
【請求項２】
上記ケース本体部と上記蓋部はヒンジ部を介して連結され、上記蓋部と上記ケース本体部の係止部は弾性変形により係合し且つ係止状態を解除しうるように形成されていることを特徴とする請求項１記載の色鉛筆ケース。
【請求項３】
上記蓋部には絵描き用のテンプレートが着脱可能に係止され、上記テンプレートはヒンジ部を介し展開及び折畳可能に連結された２枚の板状部材により成形されていることを特徴とする請求項１又は２記載の色鉛筆ケース。
【請求項４】
上記蓋部は内面部に上記テンプレートを折畳状態で固定しうる係止部が設けられていることを特徴とする請求項３記載の色鉛筆ケース。
【請求項５】
上記蓋部には上記ケース本体部に収納された上記色鉛筆の色を外部から目視により確認しうる窓部が形成されていることを特徴とする請求項１〜４記載の色鉛筆ケース。
【請求項６】
上記窓部として上記蓋部の一辺部に複数の孔部が形成されていることを特徴とする請求項５記載の色鉛筆ケース。
【考案の詳細な説明】
【技術分野】
【０００１】
本考案は色鉛筆ケースに係り、特に、耐久性に優れ、絵を描く場合の利便性に優れた色鉛筆ケースに関する。
【背景技術】
【０００２】
従来の一般的な色鉛筆ケースの多くは缶ケースにより形成され、金属板によりケース本体部と蓋部が形成されている。
【０００３】
上記缶ケースにあたっては、落下した際の衝撃で変形が生じた場合、その変形が塑性変形であることから、復元せず変形が残ってしまうことになる。
【０００４】
したがって、変形により蓋部の係止部などが損傷を受け、蓋部が閉じられなくなったり、閉じた蓋部が勝手に開いたりすることにより使用が不能となってしまう場合もあった。
また、上記のように落下したような場合には、変形による凹み部が残って外観の見栄えが悪くなるという不具合もあった。
【０００５】
また、色鉛筆ケースには、絵を描く場合に、色鉛筆と共に使用して絵を描くために供する用具が何ら備えられていれば便利であるが、従来の色鉛筆ケースには、そのような用具が全く備えられておらず、不便であった。
【０００６】
また、従来の色鉛筆ケースは、蓋部を開かない限り、内部に収納された色鉛筆の色を確認することが出来ないと言う不便もあった。
【０００７】
本出願人は、上記不具合を解消しうる色鉛筆ケースについて先行技術を調査したが、関連する先行技術文献を見出すことはできなかった。
【考案の開示】
【考案が解決しようとする課題】
【０００８】
そこで本考案の課題は、変形による影響が少なく耐久性に優れ、絵を描く場合の利便性に優れた色鉛筆ケースを提供することにある。
【課題を解決するための手段】
【０００９】
上記課題を解決するために、請求項１記載の本考案に係る色鉛筆ケースは、複数本の色鉛筆の収納部が形成されたケース本体部と、上記ケース本体部に対し開閉可能で、閉蓋状態において上記ケース本体部に係止しうるように形成された蓋部とを有し、上記ケース本体部と上記蓋部はプラスチックにより成形されていることを特徴とする。
【００１０】
即ち、請求項１記載の本考案に係る色鉛筆ケースにあっては、ケース本体部に複数本の色鉛筆が収納され、そのケース本体部は蓋部によって開閉されるように構成され、上記ケース本体部と上記蓋部は、従来のように缶製ではなく、プラスチックにより成形され、衝撃を受けた場合に弾性変形してその衝撃を緩和しうるように形成されている。したがって、例えば、机から落下したような場合であっても衝撃によるダメージが小さく故障しにくい。
【００１１】
また、請求項２記載の本考案に係る色鉛筆ケースは、上記ケース本体部と上記蓋部はヒンジ部を介して連結され、上記蓋部と上記ケース本体部の係止部は弾性変形により係合し且つ係止状態を解除しうるように形成されていることを特徴とする。
【００１２】
即ち、請求項２記載の本考案に係る色鉛筆ケースにあっては、上記蓋部は上記ヒンジ部を中心として回転することにより上記ケース本体部をスムースに開閉することができる。また、閉蓋状態において上記蓋部と上記ケース本体部は上記係止部により係止されて固定されるが、その係止及び係止解除は上記係止部を弾性変形させて行うためスムースである。
【００１３】
また、請求項３記載の本考案に係る色鉛筆ケースは、上記蓋部には絵描き用のテンプレートが着脱可能に係止され、上記テンプレートはヒンジ部を介し展開及び折畳可能に連結された２枚の板状部材により成形されていることを特徴とする。
【００１４】
即ち、請求項３記載の本考案に係る色鉛筆ケースにあっては、絵を描く場合の利便性が向上するようにテンプレートを蓋部に係止して保持することができる。
また、上記テンプレートは展開及び折畳可能に連結された２枚の板状部材により成形されており、展開状態にして使用し、折り畳み状態にして収納することができる。
また、上記テンプレートは２枚の板状部材を有していることから、多数の絵のパターンを形成することができる。
【００１５】
また、請求項４記載の本考案に係る色鉛筆ケースは、上記蓋部は内面部に上記テンプレートを折畳状態で固定しうる係止部が設けられていることを特徴とする。
【００１６】
即ち、請求項４記載の本考案に係る色鉛筆ケースにあっては、上記テンプレートが蓋部の内面部に係止されて保持される。したがって、上記収納部に保持される色鉛筆とは隔離されるので、使用する場合に取り出しやすい。
また、上記テンプレートは折畳状態で係止されるので、スペースをとらず、蓋部の大型化を回避することができる。
【００１７】
また、請求項５記載の本考案に係る色鉛筆ケースは、上記蓋部には上記ケース本体部に収納された上記色鉛筆の色を外部から目視により確認しうる窓部が形成されていることを特徴とする。
【００１８】
即ち、請求項５記載の本考案に係る色鉛筆ケースにあっては、蓋部を開くことなく、上記窓部からケース本体部の内部を覗き見て、色鉛筆の色を目視により確認し、使用する色鉛筆を即座に選択することができる。
【００１９】
また、請求項６記載の本考案に係る色鉛筆ケースは、上記窓部として上記蓋部の一辺部に複数の孔部が形成されていることを特徴とする。
【００２０】
即ち、請求項６記載の本考案に係る色鉛筆ケースにあっては、上記窓部を形成する方法として孔部を設けるという手段を採用している。したがって、窓部の形成が容易となり、製造コストを低く抑えることができる。
また、孔部からは色鉛筆の一部が露呈することから、装飾上のアクセントになる。
【考案の効果】
【００２１】
請求項１記載の本考案に係る色鉛筆ケースは、複数本の色鉛筆の収納部が形成されたケース本体部と、上記ケース本体部に対し開閉可能で、閉蓋状態において上記ケース本体部に係止しうるように形成された蓋部とを有し、上記ケース本体部と上記蓋部はプラスチックにより成形されているため、落下による衝撃などで変形しても、その変形がプラスチック素材に基づく弾性変形であることから、容易に復元して変形が残らない。したがって、蓋部の係止部が変形したままとなって蓋部が閉じられなくなったり、蓋部が勝手に開いたりする不具合がなく、耐久性が向上する。
【００２２】
また、請求項２記載の本考案に係る色鉛筆ケースは、上記ケース本体部と上記蓋部がヒンジ部を介して連結されていることから、上記蓋部を容易かつスムースに開閉することができる。
また、上記蓋部と上記ケース本体部の係止部は弾性変形により係合し且つ係止状態を解除しうるように形成されていることから、上記係止部を無理に変形させて係合したり係止状態を解除する必要がなく、上記係止部がへたりにくくなり、耐久性が向上する。
また、上記係止部を作動させるために別部品を組み付けるような必要がなく、係止部の構造がシンプルになるので、容易に成形することができる。
【００２３】
また、請求項３記載の本考案に係る色鉛筆ケースは、上記蓋部に絵描き用のテンプレートが着脱可能に係止されていることから、絵を描く際に上記テンプレートを利用できるという利便性がある。
また、上記テンプレートはヒンジ部を介し展開及び折畳可能に連結された２枚の板状部材により成形されていることから、多数の絵のパターンを形成することができ、描ける絵の種類を増やすことができる。
【００２４】
また、請求項４記載の本考案に係る色鉛筆ケースは、上記蓋部の内面部に上記テンプレートを折畳状態で固定しうる係止部が設けられていることから、上記テンプレートを係止した場合の占有スペースを縮小することができ、ケース全体の大型化を回避することができる。
【００２５】
また、請求項５記載の本考案に係る色鉛筆ケースは、上記蓋部には上記ケース本体部に収納された上記色鉛筆の色を外部から目視により確認しうる窓部が形成されていることから、蓋部を開かなくとも、上記窓部からケース本体部の内部を覗き見て、色鉛筆の色を目視により確認できるという利便性がある。
【００２６】
また、請求項６記載の本考案に係る色鉛筆ケースは、上記窓部として上記蓋部の一辺部に複数の孔部が形成されていることから、上記窓部を容易に形成できると共に、上記孔部から露呈する色鉛筆の色が上記蓋部のデザインの一部となり装飾性が向上する。
【考案を実施するための最良の形態】
【００２７】
以下、図面を用いて本発明の実施の形態について説明する。
本実施の形態に係る色鉛筆ケース１１は、図１に示すように、複数本の色鉛筆の収納部１２が形成されたケース本体部１３と、上記ケース本体部１３に対し開閉可能で、閉蓋状態において上記ケース本体部１３に係止しうるように形成された蓋部１４とを有し、上記ケース本体部１３と上記蓋部１４はプラスチックにより成形されている。
また、上記ケース本体部１３と上記蓋部１４は、図１に示すように、ヒンジ部１５を介して連結され、上記蓋部１４と上記ケース本体部１３の係止部２８ａ，２８ｂ，１６ａ，１６ｂは弾性変形により係合し且つ係止状態を解除しうるように形成されている。
また、図４に示すように、上記蓋部１４には絵描き用のテンプレート１７が着脱可能に係止され、上記テンプレート１７は、図５に示すように、ヒンジ部１８ａ，１８ｂを介し展開及び折畳可能に連結された２枚の板状部材１９，２０により成形されている。
また、図１に示すように、上記蓋部１４は内面部に上記テンプレート１７を折畳状態で固定しうる係止部２１ａ，２１ｂが設けられている。
また、図１及び図６に示すように、上記蓋部１４には上記ケース本体部１３に収納された上記色鉛筆の色を外部から目視により確認しうる窓部２２が形成されている。
また、上記窓部２２として、図１及び図６に示すように、上記蓋部１４の一辺部に複数の孔部２３が形成されている。
【実施例１】
【００２８】
図１は実施例に係る色鉛筆ケース１１を示したものである。
本実施例に係る色鉛筆ケース１１は、図１に示すように、ケース本体部１３と、蓋部１４とにより構成され、上記ケース本体部１３と上記蓋部１４はヒンジ部１５を介して連結されている。したがって、上記蓋部１４は上記ヒンジ部１５を介して回動して上記ケース本体部１３を開閉することができる。
【００２９】
上記ケース本体部１３と、上記蓋部１４はプラスチック、例えばポリプロピレン等により成形され、適度な弾性を備えている。
【００３０】
上記ケース本体部１３の内部には、図１に示すように、複数本の色鉛筆の収納部１２として、底面が円弧状に湾曲した複数の溝部２４が形成され、これら溝部２４は相互に平行に配置され、上記溝部２４の幅は色鉛筆を収納しうる寸法に設定されている。
【００３１】
図１に示すように、上記ケース本体部１３において上記ヒンジ部１５の反対側の側壁部２５には左右２箇所にそれぞれ係止部１６ａ，１６ｂが設けられている。
【００３２】
図１及び図２に示すように、上記係止部１６ａ，１６ｂには断面円弧状に形成され、係止孔２６ａ，２６ｂを有する係止片２７ａ，２７ｂが上方へ突設されている。上記係止片２７ａ，２７ｂは弾性変形しうるように形成されている。
【００３３】
また、図１及び図６に示すように、上記蓋部１４において、閉蓋した状態で、上記ケース本体部１３の係止部１６ａ，１６ｂと対応する位置には同じく係止部２８ａ，２８ｂが設けられ、上記係止部２８ａ，２８ｂには係止突起２９が設けられている。
【００３４】
上記蓋部１４を上記ケース本体部１３の上に被せ、ケース本体１３を被服した状態で、上記係止片２７ａ，２７ｂを内方へ回転させると、図６に示すように、上記係止突起２９が上記係止孔２６ａ，２６ｂに係合して係止状態となり閉蓋状態が固定される。
一方、上記係止片２７ａ，２７ｂをケース本体部１３の外方へ回転させると、上記係止突起２９が上記係止孔２６ａ，２６ｂから脱出して係止状態が解除され、上記蓋部１４が回動可能となる。
【００３５】
上記係止片２７ａ，２７ｂは、上記係止突起２９が上記係止孔２６ａ，２６ｂに係止する際、及びその係止状態を解除する際に弾性変形することができる。
【００３６】
また、図４に示すように、上記蓋部１４には絵描き用のテンプレート１７が着脱可能に係止されている。即ち、上記蓋部１４の内面部には上記テンプレート１７の係止部２１ａ，２１ｂが設けられ、上記係止部２１ａ，２１ｂとして、上記テンプレート１７の端縁に係合しうるフック部３０ａ，３０ｂが形成されている。
【００３７】
上記テンプレート１７は，図５に示すように、ヒンジ部１８ａ，１８ｂを介し展開及び折畳可能に連結された２枚の板状部材１９，２０により成形されている。一方の上記板状部材１９には種々の図形の形状を有する孔部３５が形成され、他方の上記板状部材２０には種々の文字の形状を有する孔部３６が形成されている。
【００３８】
図４に示すように、上記テンプレート１７を折畳状態で、上記蓋部１４に設けられた上記係止部２１ａ，２１ｂに係止されうるように形成されている。
【００３９】
また、図１及び図６に示すように、上記蓋部１４には上記ケース本体部１３に収納された上記色鉛筆の色を外部から目視により確認しうる窓部２２が形成されている。
【００４０】
上記窓部２２として上記蓋部１４の一辺部に、円形の孔部２３が複数形成されている。
上記孔部２３は上記ケース本体部１３に形成された上記複数の溝部２４と夫々対応するように配置されている。
【００４１】
以下、上記実施例の作用について説明する。  
本実施例に係る色鉛筆ケース１１は、上記ケース本体部１３に形成された上記収納部１２に複数本の色鉛筆を収納して保持することができる。
そして、上記ケース本体部１３に上記蓋部１４を被せて上記係止部２８ａ，２８ｂ，１６ａ，１６ｂを係止状態とすることにより、即ち、上記係止片２７ａ，２７ｂにおける上記係止孔２６ａ，２６ｂに上記係止突起２９を係合させることにより、閉蓋状態を維持することができ、又、上記係止孔２６ａ，２６ｂから上記係止突起２９を脱出させることにより係止状態を解除し、上記蓋部１４を開くことができる。
【００４２】
そして、上記ケース本体部１３と上記蓋部１４はプラスチックにより成形されていることから、上記係止突起２９が上記係止孔２６ａ，２６ｂに係合し、さらに、上記係止突起２９が上記係止孔２６ａ，２６ｂから脱出する際、即ち、係止及び係止解除の際に、上記係止片２７ａ，２７ｂと上記係止突起２９は弾性変形することになる。
これにより、上記係止部２８ａ，２８ｂ，１６ａ，１６ｂ無理に変形しないため、経年時も破損等の事態がなく、耐久性が向上する。
【００４３】
また、上記蓋部１４には絵描き用のテンプレート１７が着脱可能に係止されていることから、絵を描く場合に、上記テンプレート１７を利用でき便利である。
また、上記テンプレート１７はヒンジ部１８ａ，１８ｂを介し展開及び折畳可能に連結された２枚の板状部材１９，２０により成形されていることから、多数の絵パターンを備えることができ、様々な絵を描くことができる。
【００４４】
また、上記テンプレート１７は上記蓋部１４の内面部に係止されて保持されるので、容易に取り出して使用することができ、又、使用後は簡単に保管することができる。
また、上記テンプレート１７は折畳状態で上記係止部２１ａ，２１ｂに係止されるので、スペースをとらず、蓋部１４の大型化を回避することができる。
【００４５】
また、上記蓋部１４には上記ケース本体部１３に収納された上記色鉛筆の色を外部から目視により確認しうる窓部２２が形成されていることから、上記蓋部１４を開くことなく、内部の色鉛筆の色を容易に目視により確認し、使用する色鉛筆を即座に選択して取り出すことができる。
【００４６】
また、上記窓部２２は、上記蓋部１４の一辺部に複数の孔部２３を形成することにより構成されるので、窓部２２の形成が容易であり、製造コストを低く抑えることができる。
【産業上の利用可能性】
【００４７】
本考案は色鉛筆ケースに適用可能である。
【図面の簡単な説明】
【００４８】
【図１】本考案の実施例に係る色鉛筆ケースの開蓋状態の平面図である。
【図２】図１のＡ−Ａ線断面図である。
【図３】図１のＢ−Ｂ線断面図である。
【図４】テンプレートを蓋部に係止した状態の平面図である。
【図５】テンプレートの展開状態の平面図である。
【図６】色鉛筆ケースの開蓋状態の平面図である。
【符号の説明】
【００４９】
１１  色鉛筆ケース
１２  収納部
１３  ケース本体部
１４  蓋部
１５  ヒンジ部
１６ａ，１６ｂ  係止部
１７  テンプレート
１８ａ，１８ｂ  ヒンジ部
１９  板状部材
２０  板状部材
２１ａ，２１ｂ  係止部
２２  窓部
２３  孔部
２４  溝部
２５  側壁部
２６ａ，２６ｂ  係止孔
２７ａ，２７ｂ  係止片
２８ａ，２８ｂ  係止部
２９  係止突起
３０ａ，３０ｂ  フック部
３５  孔部
３６  孔部
【図１】
0003118242.tif 000003
【図２】
0003118242.tif 000004
【図３】
0003118242.tif 000005
【図４】
0003118242.tif 000006
【図５】
0003118242.tif 000007
【図６】
0003118242.tif 000008